(57)【要約】【課題】フォーマット後に、情報記録媒体の劣化等によって検出される後天的な欠陥セクタの交替を、簡易な手段により実現する光ディスク装置を提供する。【解決手段】フォーマットが完了した情報記録媒体が光ディスク装置２０に挿入されると、フォーマット時に設定されている書き込み要求回数を取得する（Ｓ１）。光ディスク装置２０はタイマーを起動し、ホストコンピュータからのアクセスを待つ（Ｓ２）。所定の時間以上経過してもホストコンピュータからのアクセスが無ければ（Ｓ３でＮＯのルート）、書き込み要求回数が所定以上か否かの判定を行う（Ｓ４）。所定回数以上であれば（Ｓ４でＹＥＳのルート）、情報記録媒体全体の再生を行う（Ｓ５）。ステップＳ４で所定回数以下であれば（Ｓ４でＮＯのルート）、ステップＳ２に進んで再びホストコンピュータからのアクセスを待つ。ステップＳ５で情報記録媒体を再生させた時、欠陥セクタが発見されたら（Ｓ６でＹＥＳのルート）、交替処理を実施する（Ｓ７）。【選択図】　　　図４
2004134037.tif 000002
【特許請求の範囲】
【請求項１】
１つ若しくは複数のセクタ交替領域を有するディスクフォーマットの情報の記録・再生において、欠陥セクタを前記セクタ交替領域と交替させる光ディスク装置であって、
フォーマット時に設定された書き込み要求回数を取得する要求回数取得手段と、情報記録媒体から欠陥セクタを検出する欠陥セクタ検出手段と、該欠陥セクタ検出手段により検出された欠陥セクタを前記セクタ交替領域と交替させる交替処理手段と、を備え、
前記フォーマットが完了した情報記録媒体を再生して、前記要求回数取得手段により前記情報記録媒体に設定された書き込み要求回数を取得し、当該書き込み要求回数が所定の値を超過し、且つホストコンピュータからのアクセスがない時間に前記情報記録媒体全体を再生した際、前記欠陥セクタ検出手段により欠陥セクタを検出した場合は、前記交替処理手段により前記欠陥セクタを前記セクタ交替領域と交替させることを特徴とする光ディスク装置。
【請求項２】
１つ若しくは複数のセクタ交替領域を有するディスクフォーマットの情報の記録・再生において、欠陥セクタを前記セクタ交替領域と交替させる光ディスク装置であって、
情報記録媒体の使用時間を取得する使用時間取得手段と、前記情報記録媒体から欠陥セクタを検出する欠陥セクタ検出手段と、該欠陥セクタ検出手段により検出された欠陥セクタを前記セクタ交替領域と交替させる交替処理手段と、を備え、
前記フォーマットが完了した情報記録媒体を再生して、前記使用時間取得手段により前記情報記録媒体の使用時間を取得し、当該使用時間が所定の値を超過し、且つホストコンピュータからのアクセスがない時間に前記情報記録媒体全体を再生して前記欠陥セクタ検出手段により欠陥セクタを検出した場合は、前記交替処理手段により前記欠陥セクタを前記セクタ交替領域と交替させることを特徴とする光ディスク装置。
【請求項３】
前記欠陥セクタの再生時に発生した再生リトライの発生を検出する再生リトライ検出手段を更に備え、
前記情報記録媒体を当該光ディスク装置が保有する最高速度の回転速度で再生中に、前記再生リトライ検出手段により再生リトライを検出し、該再生リトライの数が所定の回数超過したか、若しくは前記再生リトライが所定時間を超過しても終了しない場合、前記フォーマットが完了した情報記録媒体の後天的な欠陥セクタが存在すると判断して、前記交替処理手段により前記後天的な欠陥セクタを前記セクタ交替領域と交替させることを特徴とする請求項１又は２に記載の光ディスク装置。
【請求項４】
フォーマットが完了した情報記録媒体を使用する場合に、ホストコンピュータからの書き込み要求を実施した後、前記ディスクフォーマットのリードインの所定領域に前記書き込み要求回数を記録すると共に、前記情報記録媒体が光ディスクから取り出される時に、前記ディスクフォーマットのリードインの所定領域に前記情報記録媒体の使用時間を記録することを特徴とする請求項１、２又は３に記載の光ディスク装置。
【請求項５】
前記ホストコンピュータからの書き込み要求回数、及び前記情報記録媒体の使用時間を前記情報記録媒体に記録する際、前記リードインの所定領域に連続して存在する複数のセクタに順次記録することを特徴とする請求項１、２、又は４に記載の光ディスク装置。
【請求項６】
フォーマットが完了した情報記録媒体に対して、ホストコンピュータから再フォーマット若しくは消去の命令が発行された場合、前記ホストコンピュータからの書き込み要求回数、及び前記情報記録媒体の使用時間が記録されている領域を保存したまま前記再フォーマット若しくは消去を行うことを特徴とする請求項１、２、又は４に記載の光ディスク装置。
【請求項７】
１つ若しくは複数のセクタ交替領域を有するディスクフォーマットの情報の記録・再生において、欠陥セクタを前記セクタ交替領域と交替させる光ディスク記録・再生方法であって、
フォーマットが完了した情報記録媒体を再生して、前記情報記録媒体に設定された書き込み要求回数を取得し、当該書き込み要求回数が所定の値を超過し、且つホストコンピュータからのアクセスがない時間に前記情報記録媒体全体を再生した際に、欠陥セクタを検出した場合は、前記欠陥セクタを前記セクタ交替領域と交替させることを特徴とする光ディスク記録・再生方法。
【請求項８】
１つ若しくは複数のセクタ交替領域を有するディスクフォーマットの情報の記録・再生において、欠陥セクタを前記セクタ交替領域と交替させる光ディスク記録・再生方法であって、
フォーマットが完了した情報記録媒体を再生して、前記情報記録媒体の使用時間を取得し、当該使用時間が所定の値を超過し、且つホストコンピュータからのアクセスがない時間に前記情報記録媒体全体を再生して欠陥セクタを検出した場合は、前記欠陥セクタを前記セクタ交替領域と交替させることを特徴とする光ディスク記録・再生方法。
【請求項９】
前記情報記録媒体を当該光ディスク装置が保有する最高速度の回転速度で再生中に、再生リトライを検出し、該再生リトライの数が所定の回数超過したか、若しくは前記再生リトライが所定時間を超過しても終了しない場合、前記フォーマットが完了した情報記録媒体の後天的な欠陥セクタが存在すると判断して、前記後天的な欠陥セクタを前記セクタ交替領域と交替させることを特徴とする請求項７又は８に記載の光ディスク記録・再生方法。
【請求項１０】
フォーマットが完了した情報記録媒体を使用する場合に、ホストコンピュータからの書き込み要求を実施した後、前記ディスクフォーマットのリードインの所定領域に前記書き込み要求回数を記録すると共に、前記情報記録媒体が光ディスクから取り出される時に、前記ディスクフォーマットのリードインの所定領域に前記情報記録媒体の使用時間を記録することを特徴とする請求項７、８又は９に記載の光ディスク記録・再生方法。
【請求項１１】
前記ホストコンピュータからの書き込み要求回数、及び前記情報記録媒体の使用時間を前記情報記録媒体に記録する際、前記リードインの所定領域に連続して存在する複数のセクタに順次記録することを特徴とする請求項７、８、又は９に記載の光ディスク記録・再生方法。
【請求項１２】
フォーマットが完了した情報記録媒体に対して、ホストコンピュータから再フォーマット若しくは消去の命令が発行された場合、前記ホストコンピュータからの書き込み要求回数、及び前記情報記録媒体の使用時間が記録されている領域を保存したまま再フォーマット若しくは消去を行うことを特徴とする請求項７、８、又は９に記載の光ディスク記録・再生方法。
【請求項１３】
請求項７乃至１２の何れか一項に記載の光ディスク記録・再生方法をコンピュータが制御可能な形式でプログラミングしたことを特徴とする光ディスク記録・再生プログラム。
【請求項１４】
請求項１３に記載の光ディスク記録・再生プログラムをコンピュータが読み取り可能な形式で記憶したことを特徴とする記憶媒体。
【発明の詳細な説明】
【０００１】
【発明の属する技術分野】
本発明は、光ディスク装置に関し、さらに詳しくは、光ディスク装置の欠陥セクタの処理方法に関するものである。
【０００２】
【従来の技術】
ＣＤ−ＲＷディスクにパケット単位でランダムアクセス方式で読み書きを行う場合のフォーマットとして、ＵＤＦフォーマットとＭｔ．Ｒａｉｎｉｅｒフォーマットがある。前者はホストがディスクの読込みを行い、欠陥セクタが存在すればソフトウエァが所定の領域に交替を行うものである。後者は、光ディスク装置がホストコンピュータからのアクセスが無い間に、ディスクの読込みをも行い、欠陥セクタが存在すれば、交替まで行うものである。
また、欠陥処理に関する従来技術として、特開平５−２８４９４号公報には、光ディスクに記録された信号がベリファイで正常に記録されたと判定されても余裕度のない状態であれば、経時的な変化、あるいは装置の温度変化等による微妙な状態変化や装置間のバラツキ等により再度再生したとき記録されたデータが読めないと言った重大な問題を簡単な手段で解決する技術について開示されている。それによると、光デイスクに記録した直後のベリファイ処理時に従来のエラー判定を行い、エラー発生時に交替処理を行うと同時に再生された波形の形状を確認する波形観測を有し、その波形の振幅の大小、包絡線の変動量が所定の振幅、形状と比較した際に異常と判定された場合も交替処理を行うとしている。
また、特開平６−６０５５０号公報には、情報の記録動作を行う前に、使用される領域のメディアの欠陥状態を把握し、交代処理を行う技術について開示されている。それによると、　サーティフィケーション動作（ディスク上の欠陥セクタ検出動作）において、全ての欠陥セクタを検出し、欠陥セクタ情報によって情報記録／消去禁止領域を抽出する。該領域の抽出後、欠陥セクタ情報をＤＭＡ中のＰＤＬに記載し、欠陥セクタの配置によって情報記録／消去禁止領域を抽出した場合、その領域の先頭物理アドレス及び最終物理アドレスをＤＭＡ中の予約セクタに記載する。このようにして、ディスク上の交代領域を使い果たすことなく、メディアエラーの発生を回避できるとしている。
【特許文献１】特開平５−２８４９４号公報
【特許文献２】特開平６−６０５５０号公報
【０００３】
【発明が解決しようとする課題】
しかしながら、従来のＵＤＦフォーマットとＭｔ．Ｒａｉｎｉｅｒフォーマットは、情報記録媒体の物理的特性等による先天的欠陥を検出する目的で行われているが、それ以外に書換可能型光記録媒体（ＣＤ−ＲＷ）には、情報の記録／再生作業が繰り返して行われることにより、光記録媒体に情報記録のために形成された記録層を構成している混合物の混合比率が、初期の混合比率と異なってきて特性が劣化し、情報の記録／再生時にエラーが発生する。この劣化した領域は、光記録媒体のフォーマット、記録、再生命令の実行時に欠陥領域として現れる、所謂、後天的欠陥があり、前記両方式によるフォーマットは、この後天的に発生した欠陥領域にデータを記録／再生するのを防止することができなかった。
また、特許文献１は、Ｍｔ．Ｒａｉｎｉｅｒフォーマットによる欠陥処理と共に、アナログ的に波形観測をおこなって異常判定するものであり、波形観測するための回路とその波形を比較する回路が更に必要となり、コストが高くなる問題がある。
また、特許文献２は、Ｍｔ．Ｒａｉｎｉｅｒフォーマットによる欠陥処理であり、後天的に発生する欠陥領域にデータを記録／再生するのを防止することができない。
本発明は、かかる課題に鑑み、フォーマット後に、情報記録媒体の劣化等によって検出される後天的な欠陥セクタの交替を、簡易な手段により実現する光ディスク装置を提供することを目的とする。
【０００４】
【課題を解決するための手段】
本発明はかかる課題を解決するために、請求項１は、１つ若しくは複数のセクタ交替領域を有するディスクフォーマットの情報の記録・再生において、欠陥セクタを前記セクタ交替領域と交替させる光ディスク装置であって、フォーマット時に設定された書き込み要求回数を取得する要求回数取得手段と、情報記録媒体から欠陥セクタを検出する欠陥セクタ検出手段と、該欠陥セクタ検出手段により検出された欠陥セクタを前記セクタ交替領域と交替させる交替処理手段と、を備え、前記フォーマットが完了した情報記録媒体を再生して、前記要求回数取得手段により前記情報記録媒体に設定された書き込み要求回数を取得し、当該書き込み要求回数が所定の値を超過し、且つホストコンピュータからのアクセスがない時間に前記情報記録媒体全体を再生した際、前記欠陥セクタ検出手段により欠陥セクタを検出した場合は、前記交替処理手段により前記欠陥セクタを前記セクタ交替領域と交替させることを特徴とする。
従来の方式による欠陥検出は、フォーマット時に検出される欠陥、いわゆるディスクの物理的特性等の先天的なものによる。しかし、欠陥は前記の先天的なもの以外に、何度も書き込みを行うことによるディスク劣化等の後天的な欠陥も発生する可能性がある。この後天的な欠陥が発生すると情報記録媒体のデータが読めなくなる等の不具合が生じる。そこで本発明では、情報記録媒体に設定された書き込み要求回数を監視して、所定の回数を超過した場合に、ホストコンピュータからのアクセスがない時間帯を選んでデータを再生し、それにより後天的な欠陥を検出して交替するものである。
かかる発明によれば、情報記録媒体に設定された書き込み要求回数が所定の回数を超過した場合に限って欠陥検出するので、後天的なディスク欠陥によるユーザデータの損失を防止することができ、記録パフォーマンスを向上することができる。
【０００５】
請求項２は、１つ若しくは複数のセクタ交替領域を有するディスクフォーマットの情報の記録・再生において、欠陥セクタを前記セクタ交替領域と交替させる光ディスク装置であって、情報記録媒体の使用時間を取得する使用時間取得手段と、前記情報記録媒体から欠陥セクタを検出する欠陥セクタ検出手段と、該欠陥セクタ検出手段により検出された欠陥セクタを前記セクタ交替領域と交替させる交替処理手段と、を備え、前記フォーマットが完了した情報記録媒体を再生して、前記使用時間取得手段により前記情報記録媒体の使用時間を取得し、当該使用時間が所定の値を超過し、且つホストコンピュータからのアクセスがない時間に前記情報記録媒体全体を再生して前記欠陥セクタ検出手段により欠陥セクタを検出した場合は、前記交替処理手段により前記欠陥セクタを前記セクタ交替領域と交替させることを特徴とする。
後天的に発生する欠陥要因として、情報記録媒体の使用時間がある。使用時間には情報記録媒体への書込みと読み出しがあり、書込み時の時間が主として後天的な欠陥の要因となる。しかし、総体的には使用時間に比例して欠陥が増加することに注目して、本発明では情報記録媒体の使用時間を監視して、所定の時間を超過した場合に、ホストコンピュータからのアクセスがない時間帯を選んでデータを再生し、それにより後天的な欠陥を検出して交替するものである。
かかる発明によれば、情報記録媒体の使用時間が所定の時間を超過した場合に限って欠陥検出するので、後天的なディスク欠陥によるユーザデータの損失を防止することができ、記録パフォーマンスを向上することができる。
請求項３は、前記欠陥セクタの再生時に発生した再生リトライの発生を検出する再生リトライ検出手段を更に備え、前記情報記録媒体を当該光ディスク装置が保有する最高速度の回転速度で再生中に、前記再生リトライ検出手段により再生リトライを検出し、該再生リトライの数が所定の回数超過したか、若しくは前記再生リトライが所定時間を超過しても終了しない場合、前記フォーマットが完了した情報記録媒体の後天的な欠陥セクタが存在すると判断して、前記交替処理手段により前記後天的な欠陥セクタを前記セクタ交替領域と交替させることを特徴とする。
情報記録媒体の欠陥を検出するには、その情報記録媒体を最高速度で再生すると欠陥が再生しやすい。そのときにエラーが発生するとリトライを行い、検出の精度を高めている。しかし、所定の回数リトライしてもエラーが発生する場合や、リトライの時間が所定の時間を超過した場合は、その領域は欠陥であると判定することができる。そこで本発明では、リトライの回数及びリトライの時間を検出する手段を備えて、所定の回数及び時間が超過した場合を欠陥として検出するものである。
かかる発明によれば、情報記録媒体を最高速度で再生するので、確実に欠陥セクタを検出することができる。
【０００６】
請求項４は、フォーマットが完了した情報記録媒体を使用する場合に、ホストコンピュータからの書き込み要求を実施した後、前記ディスクフォーマットのリードインの所定領域に前記書き込み要求回数を記録すると共に、前記情報記録媒体が光ディスクから取り出される時に、前記ディスクフォーマットのリードインの所定領域に前記情報記録媒体の使用時間を記録することを特徴とする。
ホストコンピュータからの書き込み要求回数、情報記録媒体の使用時間を取得するためには情報記録媒体にそのデータを記録しておく必要がある。そして、書込み要求回数は書き込み要求を実施した後に、使用時間は光ディスクから取り出される時にそれぞれリードインの所定領域に記録される。
かかる発明によれば、リードイン領域に書込み要求回数と使用時間を記録するので、ホストコンピュータからの書き込み要求回数、情報記録媒体の使用時間を取得することが可能となる。
請求項５は、前記ホストコンピュータからの書き込み要求回数、及び前記情報記録媒体の使用時間を前記情報記録媒体に記録する際、前記リードインの所定領域に連続して存在する複数のセクタに順次記録することを特徴とする。
情報記録媒体に記録した、使用時間、書き込み要求回数の領域が、何度も読み書きを行うことにより欠陥となり情報が取得できなくなる可能性がある。そのため、書込み位置を変えるために、連続して存在する複数のセクタに順次記録していく方法が効果的である。
かかる発明によれば、書込み位置を順次変えるので、　　情報記録媒体の使用時間及び、ホストコンピュータからの書き込み要求回数を確実に取得することが可能となる。
【０００７】
請求項６は、フォーマットが完了した情報記録媒体に対して、ホストコンピュータから再フォーマット若しくは消去の命令が発行された場合、前記ホストコンピュータからの書き込み要求回数、及び前記情報記録媒体の使用時間が記録されている領域を保存したまま前記再フォーマット若しくは消去を行うことを特徴とする。
リードインの所定領域に書き込まれた管理テーブルは、再フォーマットもしくは、情報記録媒体消去時に消去されてしまい、過去の情報が消失してしまう。そこで本発明では、書き込み要求回数、及び使用時間を同じ領域に保存したまま再フォーマット、または消去を行うものである。
かかる発明によれば、情報記録媒体の使用時間及び、ホストコンピュータからの記録要求回数を正確に取得することが可能となる。
請求項７は、１つ若しくは複数のセクタ交替領域を有するディスクフォーマットの情報の記録・再生において、欠陥セクタを前記セクタ交替領域と交替させる光ディスク記録・再生方法であって、フォーマットが完了した情報記録媒体を再生して、前記情報記録媒体に設定された書き込み要求回数を取得し、当該書き込み要求回数が所定の値を超過し、且つホストコンピュータからのアクセスがない時間に前記情報記録媒体全体を再生した際に、欠陥セクタを検出した場合は、前記欠陥セクタを前記セクタ交替領域と交替させることを特徴とする。
請求項１と同様の作用効果を奏する。
請求項８は、１つ若しくは複数のセクタ交替領域を有するディスクフォーマットの情報の記録・再生において、欠陥セクタを前記セクタ交替領域と交替させる光ディスク記録・再生方法であって、フォーマットが完了した情報記録媒体を再生して、前記情報記録媒体の使用時間を取得し、当該使用時間が所定の値を超過し、且つホストコンピュータからのアクセスがない時間に前記情報記録媒体全体を再生して欠陥セクタを検出した場合は、前記欠陥セクタを前記セクタ交替領域と交替させることを特徴とする。
請求項２と同様の作用効果を奏する。
【０００８】
請求項９は、前記情報記録媒体を当該光ディスク装置が保有する最高速度の回転速度で再生中に、再生リトライを検出し、該再生リトライの数が所定の回数超過したか、若しくは前記再生リトライが所定時間を超過しても終了しない場合、前記フォーマットが完了した情報記録媒体の後天的な欠陥セクタが存在すると判断して、前記後天的な欠陥セクタを前記セクタ交替領域と交替させることを特徴とする。
請求項３と同様の作用効果を奏する。
請求項１０は、フォーマットが完了した情報記録媒体を使用する場合に、ホストコンピュータからの書き込み要求を実施した後、前記ディスクフォーマットのリードインの所定領域に前記書き込み要求回数を記録すると共に、前記情報記録媒体が光ディスクから取り出される時に、前記ディスクフォーマットのリードインの所定領域に前記情報記録媒体の使用時間を記録することを特徴とする。
請求項４と同様の作用効果を奏する。
請求項１１は、前記ホストコンピュータからの書き込み要求回数、及び前記情報記録媒体の使用時間を前記情報記録媒体に記録する際、前記リードインの所定領域に連続して存在する複数のセクタに順次記録することを特徴とする。
請求項５と同様の作用効果を奏する。
請求項１２は、フォーマットが完了した情報記録媒体に対して、ホストコンピュータから再フォーマット若しくは消去の命令が発行された場合、前記ホストコンピュータからの書き込み要求回数、及び前記情報記録媒体の使用時間が記録されている領域を保存したまま再フォーマット若しくは消去を行うことを特徴とする。
請求項６と同様の作用効果を奏する。
請求項１３は、請求項７乃至１２の何れか一項に記載の光ディスク記録・再生方法をコンピュータが制御可能な形式でプログラミングしたことを特徴とする。
光ディスク記録・再生方法をコンピュータにより実行させるには、そのコンピュータのＯＳに基づいた形式でプログラミングする必要がある。
かかる発明によれば、コンピュータが制御可能な形式でプログラミングするので、コンピュータにより本発明の方法を実行することができる。
請求項１４は、請求項１３に記載の光ディスク記録・再生プログラムをコンピュータが読み取り可能な形式で記憶したことを特徴とする。
かかる発明によれば、請求項１３のプログラムを可搬型の記録媒体に記憶しおくことにより、コンピュータがある場所であれば、どこでもプログラムを実行することができる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態の光ディスク装置の構成を示すブロック図である。この光ディスク装置２０の構成は、スピンドルモータ２により回転駆動されるＣＤの光ディスク１と、図示しない光ピックアップ３内のアクチュエータを駆動するモータドライバ４と、このモータドライバ４にサーボ制御のための信号を生成するサーボ手段６と、前記光ピックアップ３内の図示しない受光素子からの各信号を演算処理するリードアンプ５と、図示しないＣＤ用の半導体レーザ光源、対物レンズ等の光学系、及びアクチュエータを内蔵した光ピックアップ３と、レーザ光源の光量等を制御するレーザコントローラ９と、光ディスク１に刻まれているＡＴＩＰ（Ａｂｓｏｌｕｔｅ　Ｔｉｍｅ　Ｉｎ　Ｐｒｅｇｒｏｏｖｅ）情報を取り出すＡＴＩＰデコーダ８と、データの正確な書き出し位置を生成するＣＤエンコーダ１０と、２値化されたＲＦ信号をＥＦＭ（Ｅｉｇｈｔ　ｔｏ　Ｆｏｕｒｔｅｅｎ　Ｍｏｄｕｌａｔｉｏｎ）変調するＣＤデコーダ７と、データを一時記憶するバッファＲＡＭ１２と、このバッファＲＡＭ１２を制御するバッファ・マネージャ１３と、バッファＲＡＭ１２に接続され、ＡＴＡＰＩやＳＣＳＩインターフェイスを有するホストインターフェース１５と、ＣＤデコーダ７からのデータを再度エラー訂正処理するＣＤ−ＲＯＭデコーダ１４と、エラー訂正コードの付加やインターリーブを行うＣＤ−ＲＯＭエンコーダ１１と、ＣＤデコーダ７からオーディオ信号を変換するＤ／Ａコンバータ１６と、システム全体を制御するＣＰＵ１８と、プログラムを格納するＲＯＭ１７と、ワークエリアとしてのＲＡＭ１９から構成されている。
【００１０】
次に、本発明の実施形態の動作について図面を参照して詳細に説明する。矢印は代表的な信号やデータの流れを示すもので、各ブロックの接続関係を全て表すものではない。光ディスク１はスピンドルモータ２により回転駆動させられる。スピンドルモータ２はモータドライバ４とサーボ手段６により線速度が一定または角速度が一定になるように制御される。この線速度又は角速度は段階的に変更が可能である。光ピックアップ３は、図１には図示していない半導体レーザ、光学系、フォーカスアクチュエータ、トラックアクチュエータ、及び受光素子、ポジションセンサを内蔵したものでレーザ光を光ディスク１に照射し、ディスクにデータを記録したり、データを読み取るためのユニットである。また光ピックアップ３はシークモータにより移動可能である。これらフォーカスアクチュエータ、トラックアクチュエータ、シークモータは受光素子、ポジションセンサから得られた信号を基に、モータドライバ４とサーボ手段６によりレーザースポットが目的の場所に位置するよう制御される。リードの場合、光ピックアップ３で得られた再生信号はリードアンプ５で増幅され、２値化された後、ＣＤデコーダ７に入力され、デインターリーブとエラー訂正の処理を受ける。続いてこのデータはＣＤ−ＲＯＭデコーダ１４に入力され、さらにデータの信頼性を高めるために再度エラー訂正の処理を受ける。その後、このデータはバッファマネージャ１３により一旦バッファＲＡＭ１２に蓄えられ、セクタデータとして揃ったところでホストインターフェース１５を通し、図示しないホストへ一気に送られる。ライトの場合ホストインターフェース１５を通し、ホストから送られてきたデータはバッファマネージャ１４により一旦バッファＲＡＭ１２に蓄えられる。バッファにある程度データが貯まったところでライトを開始するが、その前にレーザースポットを書き込み開始地点に位置させなければならない。この地点は、トラックの蛇行により予め光ディスク１に刻まれているウォブル信号により求められる。ウォブル信号にはＡＴＩＰと呼ばれる絶対時間情報が含まれており、ＡＴＩＰデコーダ８によりこの情報が取り出せる。またＡＴＩＰデコーダ８が生成する同期信号は、ＣＤエンコーダ１０に入力され、正確な位置でのデータの書き出しを可能にしている。バッファＲＡＭ１２のデータは、ＣＤ−ＲＯＭエンコーダ１１やＣＤエンコーダ１０でエラー訂正コードの付加やインターリーブが行われ、ＣＤエンコーダ１０から記録用ＥＦＭに変調された信号となって出力され、ＬＤ制御や、光ピックアップ３によりコントロールされたレーザ光線により、光ディスク１に記録される。レーザコントローラ９は記録用ＥＦＭに従ってレーザ光線をライトパワーで発光させり、適切な記録再生が行えるように絶えず発光の状態を制御している。
【００１１】
図２は、本発明の光ディク装置を使用した情報処理装置の概略図である。同じ構成要素には同じ参照番号が付されているので、重複する説明は省略する。この情報処理装置３０は、キーボードやマウス等で構成され、データを入力する操作入力部３１と、全体の制御を司るＣＰＵ３０と、ＣＲＴやＬＣＤにより出力データを表示する表示部３３と、図１の光ディスク装置２０より構成されている。この情報処理装置３０は、一般的なパーソナルコンピュータＰＣに記憶装置として光ディスク装置２０を接続したものであり、その動作については詳細を省略する。
【００１２】
図３は、Ｍｔ．Ｒａｉｎｉｅｒのディスクレイアウトを説明する図である。ＭＴＡ（Ｍａｉｎ　Ｔａｂｌｅ　Ａｒｅａ）４０は１つのＭＩＰ（Ｍａｉｎ　Ｉｎｆｏｒｍａｔｉｏｎ　Ａｒｅａ）４１と、最大８つのＭＤＴ（Ｍａｉｎ　Ｄｅｆｅｃｔ　Ｔａｂｌｅ）４２から成る。ＭＴＡ４０の大きさは可変である。ＭＩＰ４１にはＭＤＴ、ＳＤＴのアドレス情報や、ディスクのフォーマット状態（ＧＡＡ４４、ＳＡ４５、ＤＡ１〜ｎのサイズや、Ｄｉｓｃ　Ｓｔａｔｕｓ等）が含まれている。ＭＤＴ４２には、交替先のアドレスのみ記録されているＦｒｅｅ　ｅｎｔｒｙと、欠陥セクタアドレスとその交替先のアドレスが記録されているＵｓｅｄｅｎｔｒｙ、後未使用のｕｎｕｓａｂｌｅ　ｅｎｔｒｙから成る。ｐｒｅ−ｇａｐ４３は１５０ブロックからなり、Ｏｒａｎｇｅ　Ｂｏｏｋに基づいている。また、ＧＡＡ（Ｇｅｎｅｒａｌ　Ａｐｐｌｉｃａｔｉｏｎ　Ａｒｅａ）４４はＭＲＷを実装していないドライブが、ＭＲＷディスクであることを認識するための領域であり、Ｍｅｔｈｏｄ３のドライバなどが含まれている領域である。ＳＡ（Ｓｐａｒｅ　Ａｒｅａ）４５は欠陥セクタの交替領域である。ＤＡ（Ｄａｔａ　Ａｒｅａ）４６はＵｓｅｒ　Ｄａｔａ領域である。ＤＡサイズは１３６パケットであるが、最後のＤＡ−ｎ４７のみディスクの容量に合わせて変化する。
【００１３】
図４は、本発明の第１の実施形態に係る光ディスク装置の動作フローチャートである。まず、フォーマットが完了した情報記録媒体が光ディスク装置２０に挿入されると、フォーマット時に設定されている書き込み要求回数を取得する（Ｓ１）。光ディスク装置２０はタイマーを起動し、ホストコンピュータからのアクセスを待つ（Ｓ２）。所定の時間以上経過してもホストコンピュータからのアクセスが無ければ（Ｓ３でＮＯのルート）、書き込み要求回数が所定以上か否かの判定を行う（Ｓ４）。所定回数以上であれば（Ｓ４でＹＥＳのルート）、情報記録媒体全体の再生を行う（Ｓ５）。ステップＳ４で所定回数以下であれば（Ｓ４でＮＯのルート）、ステップＳ２に進んで再びホストコンピュータからのアクセスを待つ。ステップＳ５で情報記録媒体を再生させた時、欠陥セクタが発見されたら（Ｓ６でＹＥＳのルート）、交替処理を実施する（Ｓ７）。ステップＳ６で欠陥セクタが無ければ（Ｓ６でＮＯのルート）、ステップＳ２に進んで再びホストコンピュータからのアクセスを待つ。ステップＳ３でホストコンピュータからのアクセスが有れば（Ｓ３でＹＥＳのルート）発行命令を実行する。発行命令が情報記録媒体取り出し命令であれば（Ｓ８でＹＥＳのルート）、取り出しを行う（Ｓ９）。ステップＳ１０で書き込み命令であれば（Ｓ１０でＹＥＳのルート）、書き込みを実施し（Ｓ１１）、書き込み要求回数を保存する（Ｓ１２）。その他の命令であれば（Ｓ１０でＮＯのルート）、その発行命令を実施する（Ｓ１３）。発行命令実施後再び、タイマーを起動しホストコンピュータからのアクセスを待つ（Ｓ２）。
【００１４】
図５は、本発明の第２の実施形態に係る光ディスク装置の動作フローチャートである。まず、フォーマットが完了した情報記録媒体が光ディスク装置２０に挿入されると、情報記録媒体の使用時間を取得する（Ｓ２１）。光ディスク装置２０はタイマーを起動し、ホストコンピュータからのアクセスを待つ（Ｓ２２）。所定の時間以上経過してもホストコンピュータからのアクセスが無ければ（Ｓ２２でＮＯのルート）、使用時間が所定時間以上か否かの判定を行う（Ｓ２３）。所定時間以上であれば（Ｓ２３でＹＥＳのルート）、情報記録媒体全体の再生を行う（Ｓ２４）。ステップＳ２３で所定時間以下であれば（Ｓ２３でＮＯのルート）、使用時間の更新を行い（Ｓ２７）、情報記録媒体に使用時間を保存する（Ｓ２８）。そして、ステップＳ２２に進んで再びホストコンピュータからのアクセスを待つ。ステップＳ２４で情報記録媒体を再生させた時、欠陥セクタが発見されたら（Ｓ２５でＹＥＳのルート）、交替処理を実施する（Ｓ２６）。ステップＳ２５で欠陥セクタが無ければ（Ｓ２５でＮＯのルート）、ステップＳ２２に進んで再びホストコンピュータからのアクセスを待つ。ステップＳ２２でホストコンピュータからのアクセスが有れば（Ｓ２２でＹＥＳのルート）発行命令を実行する。発行命令が情報記録媒体取り出し命令であれば（Ｓ２９でＹＥＳのルート）、記録媒体に使用時間を保存して（Ｓ３０）、ディスクの取り出しを行う（Ｓ３１）。ステップＳ２９で情報記録媒体取り出し命令でなければ（Ｓ２９でＮＯのルート）、ホストからの命令を実行して（Ｓ３２）ステップＳ２２に進む。
【００１５】
図６は、本発明の第３の実施形態に係る光ディスク装置の動作フローチャートである。まず、フォーマットが完了した情報記録媒体の後天的な欠陥セクタ検出を行うために、光ディスクの保有している最高速度で再生を行う（Ｓ４１）。次に情報記録媒体全体の再生が終了するまで再生を行う（Ｓ４２）。欠陥セクタの再生等で再生リトライが発生したら（Ｓ４３でＹＥＳのルート）、タイマーを起動する（Ｓ４４）。発生リトライ回数が所定の回数、もしくは再生が所定の時間内に終了しなかったら（Ｓ４４でＮＯのルート）、欠陥セクタとして交替処理を行う（Ｓ４６）。発生リトライ回数、もしくは、再生時間が所定内に終了したら（Ｓ４４でＹＥＳのルート）、情報記録媒体の再生処理を継続するためにステップＳ４２に戻る。
図７は、本発明の第４の実施形態に係る光ディスク装置の情報管理テーブルの一例を表す図である。図４のステップＳ１２により書込み要求回数を保存する場合は、ホストコンピュータからの書き込み要求回数を図７（ａ）の情報管理テーブル５０に記録する。図５のステップＳ２８、Ｓ３０により使用時間を保存する場合は、情報記録媒体の使用時間の情報を、図７（ｂ）の情報管理テーブル５１に記録する。記録箇所は、図８のＭｔ．Ｒａｉｎｉｅｒのリードイン領域の未使用領域５２に記録する。
図８は、本発明の第５の実施形態に係る光ディスク装置のＭｔ．Ｒａｉｎｉｅｒのリードイン構成の一例を表す図である。情報記録媒体に記録した、使用時間、書き込み要求回数の領域が、何度も読み書きを行うことにより欠陥となり情報が取得できなくなる可能性がある。そのため、書込み位置を変えるために、連続して存在する複数のセクタ５３、５４、・・・ｎに順次記録していく方法が効果的である。
図９は、本発明の第６の実施形態に係る光ディスク装置の動作フローチャートである。フォーマット済みの情報記録媒体に対して、ホストコンピュータが再フォーマットもしくは、消去の命令を発行してきたら（Ｓ５１のＹＥＳのルート）、書き込み要求回数及び、使用時間記録が記録されている領域を保存して（Ｓ５２）、情報記録媒体の再フォーマットもしくは、消去を行う（Ｓ５３）。
【００１６】
【発明の効果】
以上記載のごとく請求項１、７の発明によれば、情報記録媒体に設定された書き込み要求回数が所定の回数を超過した場合に限って欠陥検出するので、後天的なディスク欠陥によるユーザデータの損失を防止することができ、記録パフォーマンスを向上することができる。
また請求項２、８では、情報記録媒体の使用時間が所定の時間を超過した場合に限って欠陥検出するので、後天的なディスク欠陥によるユーザデータの損失を防止することができ、記録パフォーマンスを向上することができる。
また請求項３、９では、情報記録媒体を最高速度で再生するので、確実に欠陥セクタを検出することができる。
また請求項４、１０では、リードイン領域に書込み要求回数と使用時間を記録するので、ホストコンピュータからの書き込み要求回数、情報記録媒体の使用時間を取得することが可能となる。
また請求項５、１１では、書込み位置を順次変えるので、　　情報記録媒体の使用時間及び、ホストコンピュータからの書き込み要求回数を確実に取得することが可能となる。
また請求項６、１２では、情報記録媒体の使用時間及び、ホストコンピュータからの記録要求回数を正確に取得することが可能となる。
また請求項１３では、コンピュータが制御可能な形式でプログラミングするので、コンピュータにより本発明の方法を実行することができる。
また請求項１４では、請求項１３のプログラムを可搬型の記録媒体に記憶しおくことにより、コンピュータがある場所であれば、どこでもプログラムを実行することができる。
【図面の簡単な説明】
【図１】本発明の実施形態の光ディスク装置の構成を示すブロック図である。
【図２】本発明の光ディク装置を使用した情報処理装置の概略図である。
【図３】Ｍｔ．Ｒａｉｎｉｅｒのディスクレイアウトを説明する図である。
【図４】本発明の第１の実施形態に係る光ディスク装置の動作フローチャートである。
【図５】本発明の第２の実施形態に係る光ディスク装置の動作フローチャートである。
【図６】本発明の第３の実施形態に係る光ディスク装置の動作フローチャートである。
【図７】本発明の第４の実施形態に係る光ディスク装置の情報管理テーブルの一例を表す図である。
【図８】本発明の第５の実施形態に係る光ディスク装置のＭｔ．Ｒａｉｎｉｅｒのリードイン構成の一例を表す図である。
【図９】本発明の第６の実施形態に係る光ディスク装置の動作フローチャートである。
【符号の説明】
１　光ディスク、２　スピンドルモータ、３　光ピックアップ、４　モータドライバ、５　リードアンプ、６　サーボ手段、７　ＣＤデコーダ、８　ＡＴＩＰデコーダ、９　レーザコントローラ、１０　ＣＤエンコーダ、１１　ＣＤ−ＲＯＭエンコーダ、１２　バッファＲＡＭ、１３　バッファ・マネージャ、１４　ＣＤ−ＲＯＭデコーダ、１５　ホストインターフェース、１８　ＣＰＵ
【図１】
2004134037.tif 000003
【図２】
2004134037.tif 000004
【図３】
2004134037.tif 000005
【図４】
2004134037.tif 000006
【図５】
2004134037.tif 000007
【図６】
2004134037.tif 000008
【図７】
2004134037.tif 000009
【図８】
2004134037.tif 000010
【図９】
2004134037.tif 000011